(57)【要約】【課題】開封したことを確実に発見できる遊技機の基板ケースを提供すること。【解決手段】本発明の基板ケース（１００）は、第２ケース（１３０）に内側からネジ（１０９）で固定され、第１ケース（１０１）と第２ケースとをかしめ固定するかしめユニット（１５０）と、第１ケースに設けられ、第２ケースに固定されたかしめユニットと係合可能なリブ（１１５）と、第１ケースに設けられ、切断されることによってかしめユニットを固定しているネジの頭部を臨む開口（１１１）を形成する切除容易部（１１０）と、第２ケースとかしめユニットとに跨って貼り付けられ、識別情報が記憶されたＩＣタグ付きの封印シール（１０８）とを備え構成されている。【選択図】図８
2012161527.tif 000002
【特許請求の範囲】
【請求項１】
第１ケースと第２ケースとを重ね合わせて固定することにより、これら両ケースの内部に遊技の制御を行う制御基板を収納する遊技機の基板ケースであって、
前記第２ケースに内側からネジで固定され、前記第１ケースと前記第２ケースとをかしめ固定するかしめユニットと、
前記第１ケースに設けられ、前記第２ケースに固定された前記かしめユニットと係合可能なリブと、
前記第１ケースに設けられ、切断されることによって前記かしめユニットを固定している前記ネジの頭部を臨む開口を形成する切除容易部と、
前記第２ケースと前記かしめユニットとに跨って貼り付けられ、識別情報が記憶されたＩＣタグ付きの封印シールと
を備え、
前記かしめユニットは、前記第２ケースに固定されるケース本体と、このケース本体に収納され、前記ケース本体から突出する突出位置と前記ケース本体内に退避する退避位置との間で移動自在なストッパ部材と、前記ケース本体に収納され、前記ストッパ部材を突出位置に向けて付勢する付勢部材とを有し、
前記第１ケースを前記第２ケースに取り付ける動作に伴って、前記リブが前記ストッパ部材を前記退避位置に向けて押圧することにより、前記第１ケースが前記第２ケースと重なり合う位置まで移動することが許容され、
前記第１ケースがいったん前記第２ケースと重なり合う位置まで移動した状態では、前記ストッパ部材が前記突出位置にあることにより、前記第１ケースが前記第２ケースから取り外される方向に移動することが阻止され、
前記切除容易部を切断して前記開口から前記ネジを取り外すことにより、前記第１ケースと前記第２ケースとのかしめ固定を解除することが可能な構成から成る
ことを特徴とする遊技機の基板ケース。
【発明の詳細な説明】
【技術分野】
【０００１】
本発明は、パチンコ機やスロットマシン等の遊技機に備えられる基板ケースに係り、特に、ＩＣタグ付きの封印シールを貼り付けて不正行為を防止するようにした遊技機の基板ケースに関するものである。
【背景技術】
【０００２】
パチンコ機やスロットマシン等の遊技機には遊技の制御を行う種々の制御基板が設けられており、通常、この制御基板は上ケースと下ケースとからなる基板ケース内に収納されて遊技機の裏面や筐体内部に着脱可能に取り付けられている。このような基板ケースは、制御基板に対する不正行為（例えば、遊技の主制御を行うためのプログラムが記憶された正規ＲＯＭを不正なプログラムが記憶された不正ＲＯＭに交換する行為や、所謂ぶら下がり基板と称する不正基板を制御基板に電気的に接続して正規の動作を妨げるようにする行為など）を防止するために、アンカーリベットやワンウェイネジ等の封印部材を用いて封印されており、この封印部材の一部を破壊しない限り封印状態を解除できないようになっている。
【０００３】
また、近年では、識別情報が格納されたＩＣタグが付いたＩＣタグ封印シール（封印シール）を上ケース（第１ケース）と下ケース（第２ケース）とに跨るように貼り付けておき、不正にＩＣタグ封印シールを剥がそうとすると、ＩＣタグ封印シールが破損してリーダー機による識別情報の読み取りを不可能とすることにより、不正行為がなされたことを発見できるようにした技術が知られている（特許文献１参照）。
【先行技術文献】
【特許文献】
【０００４】
【特許文献１】特開２００９−２６１６４０号公報
【発明の概要】
【発明が解決しようとする課題】
【０００５】
しかしながら、不正行為を行う手口は日を追うごとに巧妙になってきており、ＩＣタグ封印シールを破損しないように剥がしてから基板ケースを開封し、基板ケース内に収納された制御基板の正規ＲＯＭを不正ＲＯＭに交換した後、再びＩＣタグ封印シールを貼り直すといった不正行為が行われるようになってきている。このような不正行為が行われると、ＩＣタグ封印シール自体は破損していないため、リーダー機で読み取った識別情報は正規のものとなり、リーダー機では不正行為を発見することができなくなる。しかも、ＩＣタグ封印シールが痕跡を残さずに上手に剥がされていると、目視確認によっても不正行為を発見することができず、遊技場（ホール）が被る被害が甚大なものとなっていた。
【０００６】
本発明は、上記した実情に鑑みてなされたものであり、その目的は、開封したことを確実に発見できる遊技機の基板ケースを提供することにある。
【課題を解決するための手段】
【０００７】
上記の目的を達成するために、本発明に係る遊技機の基板ケースは、第１ケースと第２ケースとを重ね合わせて固定することにより、これら両ケースの内部に遊技の制御を行う制御基板を収納するものであって、前記第２ケースに内側からネジで固定され、前記第１ケースと前記第２ケースとをかしめ固定するかしめユニットと、前記第１ケースに設けられ、前記第２ケースに固定された前記かしめユニットと係合可能なリブと、前記第１ケースに設けられ、切断されることによって前記かしめユニットを固定している前記ネジの頭部を臨む開口を形成する切除容易部と、前記第２ケースと前記かしめユニットとに跨って貼り付けられ、識別情報が記憶されたＩＣタグ付きの封印シールとを備え、前記かしめユニットは、前記第２ケースに固定されるケース本体と、このケース本体に収納され、前記ケース本体から突出する突出位置と前記ケース本体内に退避する退避位置との間で移動自在なストッパ部材と、前記ケース本体に収納され、前記ストッパ部材を突出位置に向けて付勢する付勢部材とを有し、前記第１ケースを前記第２ケースに取り付ける動作に伴って、前記リブが前記ストッパ部材を前記退避位置に向けて押圧することにより、前記第１ケースが前記第２ケースと重なり合う位置まで移動することが許容され、前記第１ケースがいったん前記第２ケースと重なり合う位置まで移動した状態では、前記ストッパ部材が前記突出位置にあることにより、前記第１ケースが前記第２ケースから取り外される方向に移動することが阻止され、前記切除容易部を切断して前記開口から前記ネジを取り外すことにより、前記第１ケースと前記第２ケースとのかしめ固定を解除することが可能な構成から成ることを特徴とするものである。
【０００８】
本発明は、かしめユニットを第２ケースに内側からネジで固定した後、いったん第１ケースと第２ケースとを重ね合わせてかしめ固定すると、切除容易部を切断して開口からネジを取り外さない限り、第１ケースを第２ケースから取り外すことはできない構成であるため、基板ケースが開封されれば、必ず切除容易部が切断された痕跡が残る。よって、本発明によれば、不正に基板ケースが開封されたことを、目視により確実に発見することができる。なお、本発明において、「かしめ固定」とは、部材同士をいったん固定すると、それら部材の少なくとも一部を破壊等しなければ当該固定を解除することができないように部材同士を固定するという意味である。よって、部材同士を固定する前の状態に戻すことができるような固定は、「かしめ固定」には含まれないことになる。
【０００９】
また、本発明によれば、基板ケースを開封する際に切断される切除容易部は第１ケースに設けられているので、第２ケースの一部が切断されたり破壊されたりすることはない。よって、開封後に第２ケースおよびかしめユニットをリユースすることができる。また、本発明は、第１ケースと第２ケースとで封印シールを覆う構成となっているので、別途封印シールを保護するカバー等を設ける必要がない。よって、部品点数の削減となる。
【００１０】
なお、上記構成において、かしめユニットを、前記第１ケースが第２ケースから取り外される方向に移動することを阻止して前記第１ケースと前記第２ケースとのかしめ固定を保持する「かしめ固定位置」と、前記第１ケースと前記第２ケースとのかしめ固定を解除して前記第１ケースを前記第２ケースから取り外すことが可能な「かしめ固定解除位置」との間でスライド移動自在な構成にすると良い。このようにすると、第１ケースと第２ケースとのかしめ固定を解除する際に、かしめユニットを前記かしめ固定位置から前記かしめ固定解除位置へとスライド移動させると、そのスライド動作に伴って、かしめユニットと第２ケースとに跨って貼り付けられた封印シールが引き千切られるから、リーダー機によってＩＣタグ情報が読み取れなくなり、基板ケースの開封を確実に発見することができる。つまり、この構成によれば、切除容易部による目視確認と、リーダー機による確認の２重の確認方法により、基板ケースの開封を確実に発見できるのである。
【００１１】
また、上記構成において、封印シールを第２ケースとかしめユニットとに跨って貼り付ける際に、ネジの頭部を隠すように貼り付ける構成にすると良い。このようにすると、開口からネジの頭部にアクセスするにあたって、封印シールの少なくとも一部分を破らないとならないため、封印シールを不正に使い回すような行為を防止できる。また、封印シールが破れると、ＩＣタグまで破壊されるため、ＩＣタグに記憶された識別情報をリーダー機で読み取ることができなくなる。そのため、仮に外観が未開封の如き状態になっていたとしても、リーダー機を用いれば、基板ケースが開封されたか否かを容易に確認することができる。
【００１２】
また、上記構成において、前記第１ケースに、前記封印シールを臨むスリットを設けた構成にすると、当該スリットから刃物等の工具を差し込んで封印シールを切断することができるため、封印シールを剥がすことなく容易に第１ケースと第２ケースとのかしめ固定を解除することができる。さらに、封印シールが刃物等で切断されると、リーダー機によるＩＣタグの読み取りが不可能となるから、リーダー機により不正な基板ケースの開封を確実に確認できる。
【図面の簡単な説明】
【００１３】
【図１】本発明の実施の形態例に係る基板ケースが取り付けられたパチンコ機の外観斜視図である。
【図２】図１に示すパチンコ機のガラス扉を開けた状態の外観斜視図である。
【図３】図１に示すパチンコ機の背面図である。
【図４】本発明の実施の形態例に係る基板ケースの外観斜視図である。
【図５】図４に示す基板ケースの正面図である。
【図６】図４に示す基板ケースの上面図である。
【図７】図４に示す上ケースの裏面図である。
【図８】図４に示す基板ケースの分解斜視図である。
【図９】図８に示すかしめユニットの分解斜視図である。
【図１０】図５のＡ−Ａ断面図である。
【図１１】図８に示す下ケースにかしめユニットを取り付ける手順を説明するための図である。
【図１２】図８に示す下ケースとかしめユニットとに跨って封印シールを貼り付けた状態を示す図である。
【図１３】上ケースを下ケースに重ね合わせてかしめ固定する手順を、図６のＢ−Ｂ断面図で示した図である。
【図１４】図４に示す基板ケースの切除容易部を切断した状態を示す要部拡大斜視図である。
【図１５】上ケースを下ケースから取り外す手順を説明するための図である。
【発明を実施するための形態】
【００１４】
発明の実施の形態について図面を参照して説明すると、図１と図２に示すように、本実施形態例に係る基板ケースを備えたパチンコ機（遊技機）Ｐは、遊技場の島設備に設置される縦長方形状の機枠１と、機枠１に扉状に開閉自在に取り付けられた本体枠２と、本体枠２の内側に収容された遊技盤３と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、本体枠２の下部に設けられた発射装置９と、前面ボード６に取り付けられ、パチンコ球の発射強度を調整するハンドル７等を具備している。さらに、ガラス扉４の上部にはスピーカ２０が左右に１個ずつ取り付けられており、遊技に関する様々な効果音を発するようになっている。また、受皿５の側部には、遊技者が押下操作するタッチボタン６０が設けられている。
【００１５】
遊技盤３はその盤面（前面）に遊技領域３１を有しており、遊技者はガラス板１０を通して遊技領域３１を目視できるようになっている。遊技領域３１はガイドレール３２と遊技球規制レール３３によって略円形状に区画形成されており、発射装置９によって打ち出された遊技球はこの遊技領域３１内を流下する。また、遊技領域３１内には、特別図柄表示装置１７、演出表示装置３４、スルーチャッカ２１、普通図柄表示装置２２、電動チューリップ４９、ステージ３６、第１始動入賞口（始動口）３７ａ、第２始動入賞口（始動口）３７ｂ、一般入賞口３８、アウト口３９と遊技釘（図示せず）、風車（図示せず）、アタッカー装置４１等が設けられている。なお、遊技盤３に設けられたこれらの構成は公知であるため、各構成の詳しい説明は省略する。
【００１６】
図３に示すように、このパチンコ機Ｐの背面側には、主制御処理部１１と、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置１４等が設けられている。
【００１７】
主制御処理部１１は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されたメイン基板（制御基板）１２０と、このメイン基板１２０を収納する後述の基板ケース１００とを備えて構成されており、このＣＰＵがＲＯＭに格納された各種プログラムやデータを読み込んで実行することにより、遊技に関する主要な処理が行われる。なお、基板ケース１００は遊技盤３の裏面に支持部材等を介して設けられている。
【００１８】
副制御処理部を構成する演出制御処理部１２ａ、特別図柄表示制御部１２ｂ、ランプ制御処理部１２ｃ、払出制御処理部１２ｅ、および普通図柄表示制御部１２ｆは、主制御処理部１１からの指令（コマンド）を受けて、演出表示装置３４やスピーカ２０、その他の演出装置（ＬＥＤ装置など）などの制御を行う装置である。この副制御処理部を構成する各装置も、遊技盤３の裏面に支持部材等を介して設けられている。
【００１９】
演出制御処理部１２ａは遊技の演出に関する制御を行うためのものであり、特別図柄表示制御部１２ｂは主制御処理部１１で決定した特別図柄に関する表示の制御を行うためのものである。普通図柄表示制御部１２ｆは普通図柄に関する表示の制御を行うためのものであり、ランプ制御処理部１２ｃは主制御処理部１１からコマンドを受けて各種ランプや電飾の点灯制御を行うものである。また、払出制御処理部１２ｅは、ＣＲユニットからの信号を受けて遊技球を遊技者に貸し出すように賞球払出装置１４を制御する他、主制御処理部１１からの払出指令を受けて、所定個数の賞球を遊技者に対して払い出すように賞球払出装置１４を制御するためのものである。さらに、発射制御処理部１３は、ハンドル７の回動量に応じて発射装置９に対する作動の制御を行う装置である。
【００２０】
次に、本発明の実施の形態例に係る基板ケース１００の詳細な構造について図４〜図１５を参照しながら説明すると、基板ケース１００は、矩形箱状の透明な上ケース（第１ケース）１０１と、矩形箱状の透明な下ケース（第２ケース）１３０とを備えている。そして、上ケース１０１と下ケース１３０の内部に収納空間が形成されており、この収納空間にＣＰＵ、ＲＯＭ、ＲＡＭ等が実装された前述のメイン基板１２０が収納されている。
【００２１】
上ケース１０１と下ケース１３０はスライド嵌合によって重ね合わされるようになっており、上ケース１０１の長手方向の一方の側部（図６における右側の側部）には、後述するかしめユニット１５０を覆うカバー部１０２が形成されている。また、下ケース１３０の同じく長手方向の一方の側部（図６における右側の側部）には、後述するかしめユニット１５０を収納するための収納部１３１が形成されている。そして、上ケース１０１を下ケース１３０に重ね合わせると、カバー部１０２と収納部１３１の間の空間にかしめユニット１５０が配置された状態となる（図８，図１０参照）。
【００２２】
そして、詳しくは後述するが、図１２等に示すように、かしめユニット１５０と下ケース１３０とに跨るようにして、封印シール１０８が貼り付けられている。この封印シール１０８は裏面に粘着層が形成された矩形状のベースシートを備えた公知のものであり、粘着層にはＩＣタグ１０８ａが埋め込まれている。なお、ＩＣタグ１０８ａは、ベースシートの対角線に沿って延びる長尺状のアンテナと、アンテナの中央付近に配置されたＩＣチップとを備えており、ＩＣチップに記憶された固有の識別情報がリーダー機によって読み取り可能となっている。また、封印シール１０８のベースシートは手指を用いて簡単に破ることが可能であり、ベースシートを破ることによってＩＣタグ１０８ａも同時に切断される。
【００２３】
上ケース１０１に形成されたカバー部１０２は、長方形状の天面１０３と、この天面１０３の３辺を囲うように設けられた側面壁１０４とを備えて成り、天面１０３には、切除容易部１１０と、スリット１１４が設けられている。切除容易部１１０は、天面１０３に設けられた丸型の開口１１１の縁部から起立した４本の脚部１１３ａ〜１１３ｄと、これら脚部１１３ａ〜１１３ｄに支持され、開口１１１を覆う蓋部材１１２とで構成されており、詳しくは後述するが、脚部１１３ａ〜１１３ｄをニッパー等の工具で切断すると、蓋部材１１２で覆われていた開口１１１が露出するようになっている（図１４参照）。
【００２４】
なお、開口１１１の直径は、ドライバ等の工具が挿入でき、ネジ１０９を取り出すことのできる程度（例えば、φ１０ｍｍ程度）の寸法で形成されている。また、脚部１１３ａ〜１１３ｄの高さ（長さ）は、ニッパー等の工具の刃先が差し込める程度に留めてあり、開口１１１と蓋部材１１２との間に必要以上に大きな隙間が生じないような工夫がなされている。これは、この隙間から封印シール１０８等に不正にアクセスすることができないようにするためである。
【００２５】
また、スリット１１４は、カッター等の刃物が差し込める程度（例えば、１〜２ｍｍ程度）の幅を有しており、上ケース１０１の短辺に沿って（別言すれば、上ケース１０１の長手方向と直交する方向、即ち、図５の上下方向に向かって）直線状に形成されている。なお、スリット１１４の長さは、かしめユニット１５０の長さとほぼ同じ長さとなっている。
【００２６】
さらに、上ケース１０１の裏面には、図７に示すようにリブ１１５が設けられている。このリブ１１５は、詳しくは後述するが、上ケース１０１を下ケース１３０に対して重ね合わせる方向（図８におけるＸ方向）にスライド移動させると、その動作に伴って、かしめユニット１５０のストッパ１５４と当接してストッパ１５４を退避位置へと押圧することができるように構成されている。
【００２７】
次に、下ケース１３０に形成された収納部１３１は、その内部に、後述するかしめユニット１５０を収納するためのものであって、収納壁１３４と、かしめユニット１５０を固定するための２つの係止片１３３と、ネジ穴１３５とを備えている（図１１参照）。収納壁１３４は、下ケース１３０の長手方向の一方の側部から起立して成ると共に、下ケース１３０の短辺に沿ってかしめユニット１５０の長さと略同一の長さで形成された縦壁１３４ａと、縦壁１３４ａの一方の端部から下ケース１３０の長手方向に沿ってかしめユニット１５０の幅と略同一の長さで形成された横壁１３４ｂとで構成されており、この収納壁１３４は、正面から見ると、縦壁１３４ａと横壁１３４ｂとで形成されたＬ字型の形状を縦壁１３４ａに沿った軸線を中心に反転させた逆Ｌ字型形状となっている。
【００２８】
また、係止片１３３は、縦壁１３４ａと平行であって、下ケース１３０の長手方向と直交する方向に間隔を空けて２つ配置されている（図１１等参照）。これら２つの係止片１３３は、かしめユニット１５０の爪１５３と係合して、かしめユニット１５０を収納部１３１内に保持するためのものである。なお、図示しないが、縦壁１３４ａにもかしめユニット１５０の爪１５３が入り込むための係止穴が２つ設けられている。
【００２９】
次に、かしめユニット１５０は、図９に示すように、ケース本体１５１と、ストッパ（ストッパ部材）１５４と、バネ（付勢部材）１５５とを備えて構成されている。ケース本体１５１は、長方形の上面と、この上面の２つの長辺と１つの短辺の３つの辺を囲う３つの側面とで形成された矩形箱型形状を成しており、上面にはネジ孔１５２が設けられていると共に、２つの長辺と繋がる側面のそれぞれの縁部には、外方に折れ曲がるようにして２つの爪（合計４つ）１５３が設けられている。このケース本体１５１の内部には、ストッパ１５４とバネ１５５が収納されている。
【００３０】
ストッパ１５４は、バネ１５５を介してケース本体１５１から突出する突出位置と、ケース本体１５１内に退避する退避位置との間で移動自在となるようにケース本体１５１に取り付けられているが、バネ１５５の付勢力により、ストッパ１５４は、常時突出位置に向けて付勢されている。このストッパ１５４は、一面が開放された矩形箱状に形成され、下ケース１３０に取り付けたときにネジ穴１３５と対応する位置に長穴１５４ｂが設けられて形成されている。さらに、ストッパ１５４の先端には、一方の側から他方の側へと下り傾斜したテーパ部１５４ａが設けられている。なお、図８に示すように、ストッパ１５４は、そのテーパ部１５４ａの傾斜が、上ケース１０１が下ケース１３０と重なり合う位置まで移動する方向（図８におけるＸ方向）に行くにつれて上り傾斜するような向きにして配置されている。
【００３１】
ここで、かしめユニット１５０がカバー部１０２と収納部１３１との間に配置された状態について、図１０を参照しながら、少し説明を補足する。上ケース１０１と下ケース１３０を重ね合わせると、カバー部１０２の側面壁１０４が収納部１３１の縦壁１３４ａを外側から被さるよう覆い、カバー部１０２の天面１０３と下ケース１３０の底面（メイン基板１２０と対面する面）との間に、空間が形成される。その空間に、ほぼ隙間なくかしめユニット１５０が配置されている。この状態において、切除容易部１１０の蓋部材１１２の中心は、ネジ１０９のほぼ中心軸上に位置しており、脚部１１３ａ〜ｄを切断して蓋部材１１２を除去すると、露呈した開口１１１より僅かに下がった位置に、ネジ１０９の頭部１０９ａが露呈することになる。
【００３２】
また、縦壁１３４ａとケース本体１５１の間にはカッター等の刃物が入る程度であって、スリット１１４の幅より小さい寸法の隙間Ｃが形成されている。この隙間Ｃは、スリット１１４の直下に位置している。そのため、スリット１１４からカッター等を差し入れると、その刃先は隙間Ｃに入り込むから、封印シール１０８を容易に切断することが可能である。
【００３３】
続いて、このように構成された基板ケース１００の組み立て手順について説明する。まず、下ケース１３０の収納部１３１にかしめユニット１５０を取り付けて固定する手順について、図１１を参照しながら説明する。まず、かしめユニット１５０の爪１５３が縦壁１３４ａに設けられた係止穴（図示せず）と係止片１３３と係合するようにして、かしめユニット１５０を収納壁１３４と係止片１３３の間に装着する（図１１（ａ）参照）。
【００３４】
次いで、下ケース１３０のネジ穴１３５とかしめユニット１５０のネジ孔１５２とが一致する位置（かしめ固定位置）まで、かしめユニット１５０を下ケース１３０の長手方向と直交する方向（図１１における上下方向）にスライドさせる（図１１（ｂ）参照）。次いで、ネジ孔１５２からネジ１０９を差し込んで、かしめユニット１５０と下ケース１３０とをネジ締結する（図１１（ｃ）参照）。なお、かしめユニット１５０を下ケース１３０に固定した状態では、かしめユニット１５０の端部と横壁１３４ｂとの間に隙間が形成されている。この隙間は、かしめユニット１５０のストッパ１５４が突出位置から退避位置まで移動するストロークより若干大きな寸法になっている。
【００３５】
なお、上述の、かしめユニット１５０のネジ孔１５２が下ケース１３０のネジ穴１３５と一致する位置とは、かしめユニット１５０を下ケース１３０に取り付けて固定する固定位置である。後述するように、かしめユニット１５０が、その固定位置に取り付けられた状態で上ケース１０１と下ケース１３０とがかしめ固定されることから、この固定位置は、かしめユニット１５０が上ケース１０１と下ケース１３０とをかしめ固定するかしめ固定位置と言うこともできる。
【００３６】
かしめユニット１５０が下ケース１３０とネジ締結されると、次に、封印シール１０８を貼り付ける。具体的には、図１２に示すように、かしめユニット１５０の上面全体と縦壁１３４ａを覆うようにして両者に跨って封印シール１０８を貼り付ける。このとき、ネジ１０９の頭部１０９ａは封印シール１０８で覆い隠される。なお、封印シール１０８には、ＩＣタグ１０８ａの位置がネジ１０９の頭部１０９ａの真上にくるように貼付位置を調整しなくても済むように、ある工夫がなされている。具体的には、封印シール１０８をかしめユニット１５０のシール取り付け線（図示せず）に沿って貼ると、ＩＣタグ１０８ａがちょうどネジ１０９の頭部１０９ａに位置するように、封印シール１０８の大きさやＩＣタグ１０８ａの位置が予め設計されている。よって、熟練した作業者でなくても、封印シール１０８を正しく所定の位置に貼り付けることができる。
【００３７】
封印シール１０８が貼り付けられると、次に、上ケース１０１の裏面にメイン基板１２０を取り付けてビス止めし、上ケース１０１が下ケース１３０と完全に重なり合う位置まで、上ケース１０１を下ケース１３０に対して図８のＸ方向へとスライド移動させる。上ケース１０１をスライド移動させる過程を示したものが図１３である。この図１３は、上ケース１０１のリブ１１５がかしめユニット１５０のストッパ１５４を押圧していく様子を、図６におけるＢ−Ｂ断面によって示したものである。
【００３８】
まず、図１３（ａ）は、上ケース１０１のリブ１１５が、かしめユニット１５０のストッパ１５４と当接する手前の状態を示している。この状態から、さらに上ケース１０１を同図における左側（つまり、図８のＸ方向）にスライドしていくと、リブ１１５が、バネ１１５の付勢力に抗してストッパ１５４のテーパ部１５４ａを図１３における下方向に押圧していき、図１３（ｂ）の状態まで上ケース１０１を移動すると、ストッパ１５４がケース本体１５１内に退避する位置までリブ１１５がストッパ１５４を押圧する。
【００３９】
さらに上ケース１０１をスライドさせていき、上ケース１０１が下ケース１３０と重なり合う位置までくると、図１３（ｃ）に示すように、リブ１１５がストッパ１５４を乗り越え、バネ１５５の付勢力によりストッパ１５４は突出位置まで戻る。この図１３（ｃ）の状態になると、上ケース１０１を下ケース１３０から取り外そうとして図８のＹ方向にスライドさせても、リブ１１５がストッパ１５４に当って邪魔をするので、上ケース１３０を下ケース１０１から取り外すことはできない。つまり、上ケース１０１を下ケース１３０と重なり合う位置までスライドさせると、かしめユニット１５０によりかしめ固定されてしまうのである。
【００４０】
そして、かしめネジ１６０ａ，ｂの何れかをかしめネジ締結部１７０とネジ締結すれば、基板ケース１００の組み立て、および封印が完了する。なお、かしめネジ１６０ａ，ｂは、一度かしめネジ締結部１７０とネジ締結されると、破壊を伴わなければそのネジ締結を解除することができないような構成となっており、例えば、ワンウェイネジ等の公知の構成のものが用いられている。
【００４１】
このように図１３（ｃ）の状態では、封印シール１０８は、上ケース１０１のカバー部１０２と下ケースの収納部１３１とにより保護されており、不正に封印シール１０８を剥がすことは困難である。しかも、かしめユニット１５０によって上ケース１０１と下ケース１３０とはかしめ固定されているうえ、かしめネジ１６０ａ，ｂによっても基板ケース１００のかしめ固定がなされているので、一度封印された基板ケース１００を、どこも破壊せずに上ケース１０１と下ケース１３０とに分解するのは不可能である。
【００４２】
なお、封印が完了した状態の基板ケース１００に対して、リーダー機を近付けることにより、封印シール１０８のＩＣタグ１０８ａに記憶されている識別情報をリーダー機で読取ることができる。
【００４３】
続いて、基板ケース１００を開封する際の手順について、図１４および図１５を参照しながら説明する。基板ケース１００の封印を開封するには、図１４に示すように、まず、切除容易部１１０の脚部１１３ａ〜ｄをニッパー等で切断して、開口１１１を露呈させ、ドライバ等の工具を開口１１１から差し入れて、ネジ１０９を取り外す。このとき、ネジ１０９の頭部１０９ａは前述したように封印シール１０８で覆われているが、封印シール１０８はドライバ等の工具で簡単に破れるような脆弱なものであるので、ドライバ等を封印シール１０８の上からネジの頭部１０９ａに突き当てて回せば、封印シール１０８が破れて、ネジ１０９を取り外すことは可能である。その後、スリット１１４にカッターを差し入れて、スリット１１４に沿って移動しながら、封印シール１０８を切断する。その状態を示したものが図１５（ａ）である。
【００４４】
図１５（ａ）の状態から、開口１１１からドライバ等を使って、かしめユニット１５０の端部が横壁１３４ｂと当接する位置（かしめ固定解除位置）まで、図１５（ｂ）のＺ方向にかしめユニット１５０を移動させる。図１５（ｂ）の状態では、上ケース１０１のリブ１１５とかしめユニット１５０のストッパ１５４とは係合しない状態、即ち、上ケース１０１と下ケース１３０とのかしめ固定が解除されている状態であるから、図１５（ｃ）に示すように、上ケース１０１をＹ方向にスライド移動させると、上ケース１０１を下ケース１３０から取り外すことができる。
【００４５】
なお、本実施形態では、スリット１１４にカッターを差し入れて封印シール１０８を切断しなくても、かしめユニット１５０を上記したかしめ固定位置からかしめ固定解除位置へとスライド移動させると、多少抵抗はあるものの、そのスライド移動に伴って封印シール１０８を引き千切ることができるようになっている。
【００４６】
以上、説明したように、本実施形態例に係る基板ケース１００では、封印シール１０８は、上ケース１０１のカバー部１０２と下ケース１３０の収納壁１３４との間に挟まれるようにして覆われたうえ、上ケース１０１と下ケース１３０とはかしめ固定されているため、基板ケース１００の封印を解除することなく封印シール１０８を剥がすことは極めて困難である。よって、本実施形態例によれば、封印シール１０８を剥がすような不正行為を防止することができる。
【００４７】
しかも、基板ケース１００の封印を解除するには、切除容易部１００を構成する脚部１１３ａ〜ｄを切断しなければならないため、脚部１１３ａ〜ｄが切断された痕跡を見れば、確実に、基板ケース１００の封印が解除されたことを発見することができる。また、基板ケース１００の封印を解除する際に、ドライバやカッター等の工具によって、封印シール１０８が破れてＩＣタグ１０８ａが破壊するため、リーダー機を近付けても、ＩＣタグ１０８ａに記憶されている識別情報を読取ることができなくなり、それによって不正行為がなされたことを確実に発見することができる。
【００４８】
つまり、不正に基板ケース１００を開封して、メイン基板１２０のＲＯＭ等を交換した場合には、必ず脚部１１３ａ〜ｄが切断された痕跡が残るうえ、封印シール１０８が破れてＩＣタグ１０８ａが破壊する。よって、本実施形態によれば、目視とリーダー機の両方により確実に基板ケース１００の封印が解除されたことを発見することができるのである。
【００４９】
なお、上記の実施の形態例では、上ケース１０１と下ケース１３０はスライド嵌合により重なり合う構成としたが、この構成に代えて、上ケース１０１と下ケース１３０を、ヒンジを介して開閉可能とする構成とすることもできる。この場合、上ケースを下ケースに対して重ね合わせる方向は、ヒンジを中心として回転する方向のうち、上ケースが下ケースに近づく方向ということになる。そして、ストッパ１５４のテーパ部１５４ａは、上ケースを下ケースに重ね合わせていく方向にいくに連れて上り傾斜する向きとなるように配置すればよい。
【００５０】
また、上記した実施の形態例では、封印シール１０８により、ネジ１０９の頭部１０９ａを覆い隠すようにしたが、封印シール１０８が、必ずしもネジ１０９の頭部１０９ａを覆い隠さなくても良い。つまり、封印シール１０８は、かしめユニット１５０と下ケース１３０とに跨って貼り付けられていればよい。例えば、封印シール１０８によって、かしめユニット１５０の上面のうちネジ孔１５２と重なり合わない部分と下ケース１３０の縦壁１３４ａとを跨いで貼り付けるものであっても良い。また、かしめユニット１５０の上面の一部と、下ケース１３０の横壁１３４ｂとに跨って封印シール１０８を貼り付けることもできる。このように構成しても、かしめユニット１５０を上記したかしめ固定位置からかしめ固定解除位置へとスライド移動することにより、封印シール１０８を引き千切ることができるから、リーダー機によるＩＣタグ１０８ａの識別情報の読み取りができなくなり、基板ケースの開封を確実に発見することができる。
【００５１】
また、上記の実施の形態例では、メイン基板１２０を収納する基板ケース１００について説明したが、それ以外にも、上記した演出制御処理部１２ａ、特別図柄表示制御部１２ｂ、ランプ制御処理部１２ｃ、払出制御処理部１２ｅ、および発射制御処理部１３の制御基板を収納するケースとして用いることも可能である。
【００５２】
また、上記した実施の形態例では、本発明の基板ケース１００をパチンコ機Ｐに取り付けた場合について説明したが、スロットマシン等の他の遊技機についても同様に適用可能であることは言うまでもない。
【符号の説明】
【００５３】
１００  基板ケース
１０１  上ケース（第１ケース）
１０２  カバー部
１０３  天面
１０４  側面壁
１０８  封印シール
１０８ａ  ＩＣタグ
１０９  ネジ
１０９ａ  ネジの頭部
１１０  切除容易部
１１１  開口
１１２  蓋部材
１１３ａ〜ｄ  脚部
１１４  スリット
１１５  リブ
１２０  メイン基板（制御基板）
１３０  下ケース（第２ケース）
１３１  収納部
１３３  係止片
１３４  収納壁
１３４ａ  縦壁
１３４ｂ  横壁
１３５  ネジ穴
１５０  かしめユニット
１５１  ケース本体
１５２  ネジ孔
１５３  爪
１５４  ストッパ（ストッパ部材）
１５４ａ  テーパ部
１５４ｂ  長穴
１５５  バネ（付勢部材）
１６０ａ，ｂ  かしめネジ
１７０  かしめネジ締結部
Ｐ  パチンコ機（遊技機）
【図１】
2012161527.tif 000003
【図２】
2012161527.tif 000004
【図４】
2012161527.tif 000005
【図５】
2012161527.tif 000006
【図６】
2012161527.tif 000007
【図７】
2012161527.tif 000008
【図８】
2012161527.tif 000009
【図９】
2012161527.tif 000010
【図１０】
2012161527.tif 000011
【図１１】
2012161527.tif 000012
【図１２】
2012161527.tif 000013
【図１３】
2012161527.tif 000014
【図１４】
2012161527.tif 000015
【図１５】
2012161527.tif 000016
【図３】
2012161527.tif 000017